(57)【要約】【課題】取付面への着脱を容易かつ確実に行うことができる器具取付座を提供する。【解決手段】釘穴３を有するブロック体１と、その釘穴３を介して取付面に打ち込む釘２とから成り、釘穴３を介して釘２を打ち込むことにより取付面に固定し、吊下フックＨ等の器具を嵌合させて取付面に取り付ける器具取付座において、釘２として、１本の丸棒状線材を曲げることにより、連結部８を介して脚部９が二股状に形成されたものを用い、ブロック体１に、釘２の各脚部９がそれぞれ挿通される対の釘穴３を配置する。また、先拡がりに離間した釘２の線材を撓ませて釘穴３で保持し、その撓みを取付面への打ち込みに伴い復元させ、釘２を取付面から抜け止めする。【選択図】図１
2008142227.tif 000002
【特許請求の範囲】
【請求項１】
釘穴(3)を有するブロック体(1)と、その釘穴(3)を介して取付面に打ち込む釘(2)とから成り、釘穴(3)を介して釘(2)を打ち込むことにより取付面に固定し、器具を嵌合させて取付面に取り付ける器具取付座において、
前記釘(2)として、１本の丸棒状線材を曲げることにより、連結部(8)を介して脚部(9)が二股状に形成されたものを用い、ブロック体(1)に、釘(2)の各脚部(9)がそれぞれ挿通される対の釘穴(3)を配置したことを特徴とする器具取付座。
【請求項２】
請求項１に記載の器具取付座において、先拡がりに離間した釘(2)の線材を、両脚部(9)の先端間隔が狭まるように撓ませて釘穴(3)で保持し、取付面への打ち込みに伴い、その撓みが復元するようにしたことを特徴とする器具取付座。
【請求項３】
請求項１に記載の器具取付座において、先窄まりに離間した釘(2)の線材を、両脚部(9)の先端間隔が拡がるように撓ませて釘穴(3)で保持し、取付面への打ち込みに伴い、その撓みが復元するようにしたことを特徴とする器具取付座。
【発明の詳細な説明】
【技術分野】
【０００１】
この発明は、吊下フックや磁石吸着基板等の器具を壁面等の取付面に取り付けるための取付座に関するものである。
【背景技術】
【０００２】
従来、この種の取付座として、釘穴を有するブロック体と、その釘穴を介して取付面に打ち込む釘とから成り、釘穴を介して軸部が真っ直ぐな通常の釘を打ち込むことにより、壁面や柱等の取付面に固定し、吊下フック等の器具を嵌合させて取付面に取り付けるものが使用されている（釘は明示されていないが、下記特許文献１参照）。
【０００３】
【特許文献１】特開２００６−２２３４２１号公報
【発明の開示】
【発明が解決しようとする課題】
【０００４】
しかしながら、上記のような取付座では、耐荷重性や安定性を高めるため、複数本の釘で取り付けようとすると、釘の打ち込みに手間がかかるほか、取り外す際における釘の引き抜きにも手間がかかるという問題がある。
【０００５】
そこで、この発明は、取付面への着脱を容易かつ確実に行うことができる器具取付座を提供することを課題とする。
【課題を解決するための手段】
【０００６】
上記課題を解決するため、この発明は、釘穴を有するブロック体と、その釘穴を介して取付面に打ち込む釘とから成り、釘穴を介して釘を打ち込むことにより取付面に固定し、器具を嵌合させて取付面に取り付ける器具取付座において、前記釘として、１本の丸棒状線材を曲げることにより、連結部を介して脚部が二股状に形成されたものを用い、ブロック体に、釘の各脚部がそれぞれ挿通される対の釘穴を配置したのである。
【０００７】
また、前記取付座において、先拡がりに離間した釘の線材を、両脚部の先端間隔が狭まるように撓ませて釘穴で保持し、取付面への打ち込みに伴い、その撓みが復元するようにしたのである。
【０００８】
また、これに換えて、前記取付座において、先窄まりに離間した釘の線材を、両脚部の先端間隔が拡がるように撓ませて釘穴で保持し、取付面への打ち込みに伴い、その撓みが復元するようにしたのである。
【発明の効果】
【０００９】
この取付座は、釘の連結部をハンマーで叩くことにより、両脚部が同時に取付面へ打ち込まれるので、取付面に容易に固定することができる。
【００１０】
そして、この取付座には、磁石取付式の器具を磁石の付かない取付面に取り付ける磁石吸着基板や、ハンガーパイプの支持部等、様々な器具を嵌合させて、これらの器具を壁面に取り付けることができる。
【００１１】
また、取り外しに際し、釘の連結部をペンチ等の工具で摘んで両脚部を取付面から容易に引き抜くことができ、通常の釘のように抉るように抜く必要がないので、取付面に残る釘の抜出穴が大きくなることもない。
【００１２】
また、先拡がり又は先窄まりに離間した釘の線材を撓ませて釘穴で保持し、その撓みを取付面への打ち込みに伴い復元させると、取付状態で抜ける方向の反発力の発生が防止されて、釘が取付面から抜け止めされる。
【発明を実施するための最良の形態】
【００１３】
以下、この発明の実施形態を添付図面に基づいて説明する。
【００１４】
図１に示すように、この取付座Ｂは、ブロック体１と、これに付属する釘２とから構成され、ブロック体１の釘穴３を介して釘２を打ち込むことにより取付面に固定し、嵌込式の吊下フックＨを嵌合させて取付面に取り付けるものである。
【００１５】
ブロック体１は、プラスチックの成型品であり、その上下端部に各一対の釘穴３が横に並べて設けられ、中間の凹所に上下各１個の木ねじ用穴４が設けられている。ブロック体１の両側には、鉤溝状の挿入部５が上部及び下部に設けられると共に、係止片６が中間部に設けられ、係止片６の先端部には突起７が設けられている。
【００１６】
釘２は、１本の丸棒状線材を折り曲げることにより、連結部８を介して先尖な脚部９を二股状に形成し、両側の脚部９を、先端へかけて開く方向に角度を設けて離間させ、所定範囲内の力で線材を撓めても、元の形状に復帰する弾性を備えたものとされている。
【００１７】
ブロック体１の各対の釘穴３の間隔は、釘２の両脚部９の基部側の間隔とほぼ同一であり、釘穴３の直径は、釘２の線材の外径よりも少し大きい寸法とされている。また、ブロック体１の上下端部は、上部の釘穴３を下方へ、下部の釘穴３を上方へそれぞれ傾斜させるように斜めに形成されている。
【００１８】
一方、吊下フックＨは、台部１０に鉤部１１が設けられたものであり、台部１０の裏側凹所の両側面には、ブロック体１の挿入部５に対応した係止部１２と、係止片６の突起７に対応した溝１３が設けられている。
【００１９】
いま、この取付座Ｂを取付面に取り付ける際には、上下各対の釘穴３に対応して、釘２を２個用意する。そして、図２に示すように、釘２の両脚部９の先端側の間隔を狭める方向へ線材を撓ませて、左右の釘穴３にそれぞれ脚部９を挿入すると、両脚部９の先端側の間隔が釘穴３により保持される。
【００２０】
次に、釘２の連結部８をハンマーで叩くと、図３に示すように、両脚部９が取付面Ｗへ同時に打ち込まれ、取付座Ｂを取付面Ｗに容易に取り付けることができる。
【００２１】
このとき、両脚部９は、取付面Ｗから壁体の奥側へかけての進行に伴い、釘穴３による先端間隔の保持から解放されて、線材の弾性により先端側の間隔が広がる方向に復元しようとし、取付状態で抜ける方向の反発力の発生が防止されるので、取付座Ｂは、取付面Ｗから抜け止めされ、石膏ボード等の脆く柔らかい壁体にも取り付けることができる。
【００２２】
そして、図１、図３及び図４に示すように、吊下フックＨの台部１０を取付座Ｂに被せるように嵌めて、係止部１２を挿入部５の開口部分に挿入し、吊下フックＨを下方へスライドさせると、係止部１２がブロック体１の両側に係合すると共に、係止片６の弾性変形及び復元により突起７が溝１３に係合して、吊下フックＨが取付座Ｂに固定される。
【００２３】
また、吊下フックＨが不要になった場合には、吊下フックＨを上方へスライドさせて、取付座Ｂから取り外し、釘２の連結部８をペンチ等の工具で摘んで両脚部９を取付面Ｗから引き抜くことにより、抉ることなく、取付面Ｗから取付座Ｂを容易に取り外すことができ、取付面Ｗに残る釘２の抜出穴が大きくなることもない。
【００２４】
なお、取付面が適度な硬さと靭性を有する木材である場合など、取付面Ｗの条件によっては、釘２として、両脚部９が平行となったものを用いてもよく、また、釘２に換えて、木ねじ用穴４を介し木ねじを取付面Ｗにねじ込むことにより、取付座Ｂを取付面Ｗに固定してもよい。
【００２５】
また、上記のような取付座Ｂは、図５に示すように、磁石取付式の吊下フックＭを、磁石吸着基板Ｓを介在させることにより、磁石の付かない壁面に取り付ける場合にも使用できる。この磁石吸着基板Ｓは、プラスチック製の枠体１４に強磁性体である鉄板１５を嵌め込み、枠体１４の裏側の凹所に取付座Ｂを嵌合させるようにしたものであり、吊下フックＭは、台部１０の裏側に強力な磁石１６を嵌め込んだものとされている。
【００２６】
また、図６に示すように、複数の取付座Ｂを使用して、ハンガーパイプＰのような器具を壁面に取り付ける場合にも使用できる。この場合、ハンガーパイプＰの両端の支持部１７を、それぞれ間隔をおいて壁面に固定した取付座Ｂに嵌合させる。このようにハンガーパイプＰを取り付けると、そのパイプに引掛式の吊下フック１８を引っ掛けたり、タオル等を直接掛けたりすることができる。
【００２７】
ところで、上記各実施形態では、釘２が先拡がりに離間したものを例示したが、これとは逆に、先窄まりに離間した釘２の線材を、両脚部９の先端間隔が拡がるように撓ませてブロック体１の釘穴３で保持し、取付面Ｗへの打ち込みに伴い、その撓みが復元するようにしてもよい。
【００２８】
また、釘２として、連結部８がＵ字状に一点を中心として湾曲したものを例示したが、連結部８が直線部分を挟んでコ字状に湾曲したものを使用してもよい。
【図面の簡単な説明】
【００２９】
【図１】この発明に係る器具取付座による吊下フックの取付例を示す斜視図
【図２】同上の取付過程を示す横断平面図
【図３】同上の取付状態を示す横断平面図
【図４】同上の取付状態を示す一部切欠側面図
【図５】磁石吸着基板の取付例を示す斜視図
【図６】ハンガーパイプの取付例を示す斜視図
【符号の説明】
【００３０】
Ｂ  取付座
Ｈ  嵌込式の吊下フック
Ｓ  磁石吸着基板
Ｍ  磁石取付式の吊下フック
Ｐ  ハンガーパイプ
Ｗ  取付面
１  ブロック体
２  釘
３  釘穴
４  木ねじ用穴
５  挿入部
６  係止片
７  突起
８  連結部
９  脚部
１０  台部
１１  鉤部
１２  係止部
１３  溝
１４  枠体
１５  鉄板
１６  磁石
１７  支持部
１８  引掛式の吊下フック
【図１】
2008142227.tif 000003
【図２】
2008142227.tif 000004
【図３】
2008142227.tif 000005
【図４】
2008142227.tif 000006
【図５】
2008142227.tif 000007
【図６】
2008142227.tif 000008